Podtech/llm-jp-corpus-v4-ja_patent huggingface dataset:
【手続補正書】
【提出日】平成15年11月26日(2003.11.26)
【手続補正１】
【補正対象書類名】特許請求の範囲
【補正対象項目名】全文
【補正方法】変更
【補正の内容】
【特許請求の範囲】
【請求項１】
電気伝導性材料を加熱するための誘導炉であって：
電気伝導性材料を収容するための坩堝；
前記坩堝の底部を支持し、電磁場の透過のための通路を備えた底部支持構造；
前記底部支持構造の下に配置された磁束集中装置；及び、
前記底部支持構造と前記磁束集中装置との間に配置された、少なくとも１つの能動コイル部分及び少なくとも１つの受動コイル部分から構成される少なくとも１つの誘導コイルであって、前記少なくとも１つの誘導コイルを通る交流電流の流れによって発生する磁場が前記電気伝導性材料を加熱する前記電気伝導性材料内の渦電流を誘導するために、前記電気伝導性材料に浸透することを特徴とする誘導コイル、
から成る誘導炉。
【請求項２】
前記少なくとも１つの誘導コイルを冷却する冷却媒体を流すために、前記磁束集中装置と前記底部支持構造との間に配置されたプレナム（または、空間部）をさらに備える、請求項１に記載の誘導炉。
【請求項３】
前記坩堝が前記電気伝導性材料を収容するために、径と高さの比が約３：１から６：１の範囲である実質的に円筒形の容積を形成する、請求項１に記載の誘導炉。
【請求項４】
電気伝導性材料を加熱するための方法であって：
電磁場の透過のための通路を備えた底部支持構造上に坩堝を支持すること；
前記電気伝導性材料を前記坩堝に配置すること；
交流電流から前記底部支持構造の下に配置された少なくとも１つの誘導コイルの少なくとも１つの能動コイル部分を通る電流の流れによって一次的な磁場を発生すること；
前記少なくとも１つの誘導コイルの下に磁束集中装置を配置すること；
前記少なくとも１つの誘導コイルの少なくとも１つの受動コイル部分を前記少なくとも１つの能動コイル部分によって発生した前記一次的な磁場に磁気的に結合させることによって、前記少なくとも１つの受動コイル内に、前記少なくとも１つの受動コイル部分の外部の二次的な磁場を発生する二次的な電流を誘導すること；
前記一次的な磁場及び前記二次的な磁場を少なくとも部分的に、前記底部支持構造の前記通路を通して、前記坩堝の底部に向けること；及び、
前記電気伝導性材料を誘導的に加熱するために、前記一次的な磁場及び前記二次的な磁場を前記坩堝内の前記電気伝導性材料に磁気的に結合させること、
のステップから成る方法。
【請求項５】
前記電流の周波数が前記電気伝導性材料を電磁的に攪拌するために調整されている、請求項４に記載の方法。
【請求項６】
電気伝導性材料を加熱するための誘導炉であって：
電気伝導性材料を収容するための坩堝；
前記坩堝の底部を支持する底部支持構造；
前記底部支持構造の下に配置され、非電気伝導性材料内に配置された複数の分離した強磁性部材から構成される磁束集中装置；及び、
前記底部支持構造と前記磁束集中装置との間に配置された少なくとも１つの誘導コイルであって、前記少なくとも１つの誘導コイルを通る交流電流の流れによって発生する磁場が前記電気伝導性材料を加熱する前記電気伝導性材料内の渦電流を誘導するために、前記電気伝導性材料に浸透することを特徴とする誘導コイル、
から成る誘導炉。
【請求項７】
電気伝導性材料を加熱するための誘導炉であって：
電気伝導性材料を収容するための、円形の底部を備えた坩堝；
前記坩堝の底部を支持する底部支持構造であって、内側の中央リング部材、外側の周辺リング部材、及び前記内側の中央リング部材と前記外側の周辺リング部材とを放射状に接続する複数の横方向支持部材から構成される底部支持構造；
前記底部支持構造の下に配置された磁束集中装置；及び、
前記底部支持構造と前記磁束集中装置との間に配置された少なくとも１つの誘導コイルであって、前記少なくとも１つの誘導コイルを通る交流電流の流れによって発生する磁場が前記電気伝導性材料を加熱する前記電気伝導性材料内の渦電流を誘導するために、少なくとも前記底部支持構造の前記複数の横方向支持部材の間の開口部を通って、前記電気伝導性材料に浸透することを特徴とする誘導コイル、
から成る誘導炉。
【請求項８】
電気伝導性材料を加熱するための誘導炉であって：
電気伝導性材料を収容するための坩堝；
前記坩堝の底部を支持する底部支持構造；
前記底部支持構造の下に配置された磁束集中装置；及び、
前記底部支持構造と前記磁束集中装置との間に配置された少なくとも１つの誘導コイルであって：
各々が交流電源に接続された、少なくとも１つの能動誘導コイル部分；及び、
共振回路を形成するためにコンデンサーに接続された少なくとも１つの受動誘導コイル部分であって、前記少なくとも１つの能動コイル部分を通る交流電流の流れによって発生した磁場が前記電気伝導性材料内に渦電流を誘導するために前記電気伝導性材料に浸透し、かつ、前記電気伝導性材料を加熱するための前記電気伝導性材料内の渦電流を誘導する、前記電気伝導性材料を貫通する二次的な磁場を発生するために前記少なくとも１つの受動誘導コイル部分を通る二次的な電流の流れを誘導するために、前記少なくとも１つの能動誘導コイル部分によって発生する磁場が前記少なくとも１つの受動誘導コイル部分と磁気的に結合することを特徴とする受動誘導コイル部分、
から成る誘導炉。
【請求項９】
前記少なくとも１つの能動コイル部分及び前記少なくとも１つの受動コイル部分が互いの内側及び外側に配置されている、請求項８に記載の誘導炉。
【請求項１０】
前記少なくとも１つの能動コイル部分及び前記少なくとも１つの受動コイル部分が互いの巻線の間の空間を埋めるように配置されている、請求項８に記載の誘導炉。
【手続補正書】
【提出日】平成15年7月24日(2003.7.24)
【手続補正１】
【補正対象書類名】特許請求の範囲
【補正対象項目名】全文
【補正方法】変更
【補正の内容】
【特許請求の範囲】
【請求項１】
加工されたモリンダシトリフォリア果汁を含む、スパーオキシドアニオンフリーラジカルを除去して細胞機能を増加させるための飲食サプリメント。
【請求項２】
加工されたモリンダシトリフォリア果汁を含む、脂質ヒドロペルオキシドを除去して細胞機能を増加させるための飲食サプリメント。
【請求項３】
少なくとも次の１つ：
（ｉ）調味料、
（ｉｉ）甘味料、
（ｉｉｉ）栄養成分、
（ｉＶ）植物抽出物、及び
（Ｖ）色素
をさらに含む請求項１又は２に記載の飲食サプリメント。
【請求項４】
少なくとも次の１つ：
（ｉ）ビタミンC
（ｉｉ）海岸の松の皮の抽出物
（ｉｉｉ）ぶどうの種の粉末
をさらに含む、請求項１又は２に記載の飲食サプリメント。
【手続補正書】
【提出日】平成17年5月10日(2005.5.10)
【手続補正１】
【補正対象書類名】特許請求の範囲
【補正対象項目名】全文
【補正方法】変更
【補正の内容】
【特許請求の範囲】
【請求項１】
僧帽弁治療具とガイド・ワイヤとガイド・チューブとを含む、心臓の僧帽弁輪の病状に効果がある装置であって、
前記僧帽弁治療具は、僧帽弁輪に隣接する冠状静脈洞の中に留置されるとき、僧帽弁輪を再形成するように形作られ、
前記ガイド・ワイヤは前記僧帽弁輪に隣接する冠状静脈洞に挿入されるように形作られ、
前記ガイド・チューブは、遠位端と、近位端と、前記遠位端と前記近位端との間に伸びている内腔とを有し、前記遠位端と前記近位端との間にある側面開口を含み、前記遠位端から前記内腔を通って前記側面開口から外に伸びる前記ガイド・ワイヤを前記ガイド・チューブが滑動して受け入れられることを可能にするために前記側面開口は前記内腔に連通し、
前記ガイド・チューブは僧帽弁輪に隣接する位置まで冠状静脈洞の中を前記ガイド・ワイヤに沿って滑動することができ、前記僧帽弁治療具は前記僧帽弁輪に隣接する冠状静脈洞の中に留置されるために前記ガイド・チューブの中を誘導される、心臓の僧帽弁輪の病状に効果がある装置。
【請求項２】
前記僧帽弁治療具は、前記ガイド・ワイヤを滑動可能に受け入れるように形作られている、請求項１に記載の装置。
【請求項３】
前記僧帽弁治療具を前記ガイド・チューブの遠位端の方向に押すために前記ガイド・チューブの内腔に受け入れられる寸法を有するイントロデューサを含む、請求項１又は２のいずれか一の項に記載の装置。
【請求項４】
前記イントロデューサは、前記ガイド・チューブの内腔内で前記ガイド・ワイヤ上を滑動可能に受け入れられるための内腔を含む、請求項２に記載の装置。
【請求項５】
前記イントロデューサは、遠位端とスロットとを有し、該スロットは前記遠位端から近位方向に伸びて前記イントロデューサの内腔に連通している、請求項４に記載の装慣。
【請求項６】
前記ガイド・チューブは、前記僧帽弁治療具を前記ガイド・チューブから脱離するための給送スロットを含み、該給送スロットは前記内腔に連通し前記側面開口より近位側にある、請求項１に記載の装置。
【請求項７】
前記僧帽弁治療具を前記給送スロットから押し出すために前記ガイド・チューブの内腔に受け入れられる寸法のイントロデューサを含む、請求項６に記載の装置。
【請求項８】
前記治療具の近位側で該治療具と係合して前記冠状静脈洞の中に前記治療具を前進させるように形作られている細長いイントロデューサを含む、請求項１に記載の装置。
【手続補正書】
【提出日】平成16年12月14日(2004.12.14)
【手続補正１】
【補正対象書類名】明細書
【補正対象項目名】特許請求の範囲
【補正方法】変更
【補正の内容】
【特許請求の範囲】
【請求項１】  組織の光選択的気化を行うための装置であって、
レーザ放射を生成するレーザと、
前記レーザに連結され、光ファイバからのレーザ放射を方向決めする該光ファイバを包含し、組織の表面の処置領域を洗浄する流れを作る内視鏡と
を有し、
前記レーザと光ファイバは、レーザ放射によって発生する残留凝固繊維の容積より大きな容積の繊維を気化するに十分な波長及び放射強度のレーザ放射を処置領域に供給するようになっていることを特徴とする組織の光選択的気化を行うための装置。
【請求項２】  前記レーザ及び光ファイバが、２００ｎｍから６５０ｎｍの範囲の波長を有するレーザ放射を供給するようになっていて、１０ＫｉｌｏＷａｔｔｓ／ｃｍ2より大きい処置領域の平均放射照度を有し、前記光ファイバが、最小で０．０５ｍｍ2のスポットサイズの処置領域を生成することを特徴とする請求項１に記載の組織の光選択的気化を行うための装置。
【請求項３】  前立腺組織の組織の光選択的気化を行うための装置であって、
２００ｎｍから６５０ｎｍの範囲の波長を有するレーザ放射を供給するレーザと、
前記レーザに連結され、光ファイバからのレーザ放射を方向決めする該光ファイバを有し、前立腺組織の表面の処置領域を洗浄する流れを作る経尿道用の膀胱鏡と
を有し、
前記レーザ及び光ファイバが、１０ＫｉｌｏＷａｔｔｓ／ｃｍ2より大きい処置領域の平均放射照度を有し、前記光ファイバが、最小で０．０５ｍｍ2のスポットサイズの処置領域を生成することを特徴とする前立腺組織の光選択的気化を行うための装置。
【請求項４】  前記レーザが、ネオジムドープ処理固体媒体と、平均出力が６０Ｗａｔｔｓ以上の第２すなわちより高い調和出力を出力する光学系を有することを特徴とする請求項１ないし３のうちのいずれか１項に記載の組織の組織の光選択的気化を行うための装置。
【請求項５】  前記レーザ及び光ファイバが、２００ｎｍから６５０ｎｍの範囲の波長を有するレーザ放射を供給するようになっていて、２０ＫｉｌｏＷａｔｔｓ／ｃｍ2より大きい処置領域の平均放射照度を有し、前記光ファイバが、最小で０．０５ｍｍ2のスポットサイズの処置領域を生成することを特徴とする請求項１ないし４のうちの１項に記載の組織の光選択的気化を行うための装置。
【請求項６】  前記レーザ及び光ファイバが、２００ｎｍから６５０ｎｍの範囲の波長を有するレーザ放射を供給するようになっていて、１０ＫｉｌｏＷａｔｔｓ／ｃｍ2より大きい処置領域の平均放射照度を有し、前記光ファイバが、最小０．０８ｍｍ2のスポットサイズの処置領域を生成することを特徴とする請求項１ないし４のうちの１項に記載の組織の光選択的気化を行うための装置。
【請求項７】  前記レーザ及び光ファイバが、２００ｎｍから６５０ｎｍの範囲の波長を有するレーザ放射を供給するようになっていて、３０ＫｉｌｏＷａｔｔｓ／ｃｍ2より大きい処置領域の平均放射照度を有し、前記光ファイバーが、最小で０．０５ｍｍ2のスポットサイズの処置領域を生成することを特徴とする請求項１ないし６のうちの１項に記載の組織の光選択的気化を行うための装置。
【請求項８】  前記レーザ及び光ファイバが、処置領域の少なくとも３０ＫｉｌｏＷａｔｔｓ／ｃｍ2の平均放射照度を供給するようになっていることを特徴とする請求項１ないし６のうちの１項に記載の組織の光選択的気化を行うための装置。
【請求項９】  前記レーザが、対する最小０．０８ｍｍ2のスポットサイズの処置領域を生成することを特徴とする請求項１ないし８のうちの１項に記載の組織の光選択的気化を行うための装置。
【請求項１０】  前記光ファイバが、サイドファイヤリングチップを有し、さらに前記サイドファイヤリングチップの位置が前記処置領域から１ｍｍの範囲にあることを特徴とする請求項１ないし９のうちの１項に記載の組織の光選択的気化を行うための装置。
【請求項１１】  前記レーザが、前記レーザ媒体に入力電力をかけている間マイクロパルスを生成するＱスイッチを有し、電力源が入力電力をパルスシーケンスのレーザ媒体にかけて出力放射のマクロパルスを生成し、それによって出力電力がマクロパルスの間２００Ｗａｔｔｓ／ｃｍ2より大きいことを特徴する請求項１ないし１０のうちの１項に記載の組織の光選択的気化を行うための装置。
【請求項１２】  前記レーザが、前記レーザ媒体に入力電力をかけている間、マイクロパルスを生成するＱスイッチを有し、電力源が入力電力をパルスシーケンスのレーザ媒体に適用して出力放射のマクロパルスを生成し、それによって出力電力がマクロパルスの間５０ＫｉｌｏＷａｔｔｓ／ｃｍ2より大きいことを特徴する請求項１ないし１１のうちの１項に記載の組織の光選択的気化を行うための装置。
【手続補正書】
【提出日】平成16年1月5日(2004.1.5)
【手続補正１】
【補正対象書類名】特許請求の範囲
【補正対象項目名】全文
【補正方法】変更
【補正の内容】
【特許請求の範囲】
【請求項１】
動物や屠殺体に使用される識別装置であって、
動物や屠殺体によって運ばれる電気式識別デバイス（ＥＩＤ）からの電気信号を通過時に読み取るためのアンテナを有する電気式読取手段と、
計数、描画又は仕分けのために動物や屠殺体が視覚的に区別される、主として、塗料、粉末、染料又はその他のマーキング材料といった視覚的に識別可能な材料を以て、動物や屠殺体をマークするのに適合されたマーキング手段と、
通過する動物や屠殺体を検出するために適合された移動検出手段と、
電気式読取手段、移動検出手段及びマーキング手段の作動を制御・調整するために適合された制御手段とを組み合わせて含み、
電気式読取手段を起動・停止させる移動検出手段及びアンテナを通過する動物や屠殺体は、マーク手段により選択的にマークされるかマークされないかの何れかであり、マークに従って選択的に識別され且つ計数されるか、描画されるか、あるいは仕分けられる
ことを特徴とする識別装置。
【請求項２】
ＥＩＤは、摂取される第一胃ペレット、タグ、又は動物や屠殺体に取り付けられあるいは取り込まれてアンテナ回路により作動、検出されるその他の中継器デバイスである請求項１に記載の識別装置。
【請求項３】
マーキング手段は、動物や屠殺体の背中やその他の部位におけるマークを払い落としたり、噴霧したり、そうでなければ、描画するために使われるソレノイドやその他の等価なデバイス、あるいは油圧や空気圧のアクチュエータを含む請求項１又は２に記載の識別装置。
【請求項４】
マーキング手段は、塗料や粉末といった異なる色の材料の数個のプレッシャーパックスプレーデバイス又はエアレススプレーデバイスからの複数のシングルスプレーヘッドを含む請求項１乃至３の何れかに記載の識別装置。
【請求項５】
マーキング手段は、塗料や粉末といった異なる色の材料の数個のプレッシャーパックスプレーデバイス又はエアレススプレーデバイスを利用するシングルスプレーヘッドを含む請求項１乃至３の何れかに記載の識別装置。
【請求項６】
電気式読取手段が作動することなしにマーキング手段によってマークされる動物や屠殺体がアンテナを通過する時に作動するライト及び／又はブザー又はベルといった可視的及び／又は可聴的アラームを備えてなる請求項１乃至５の何れかに記載の識別装置。
【請求項７】
マークは、識別可能な円形、四角形、星形、又は数字や文字やそれらの組み合わせ及び色違いを含むその他のマーキングである請求項１乃至６の何れかに記載の識別装置。
【請求項８】
移動検出手段は、赤外線が動物や屠殺体の通過によって遮断される赤外線（ＩＲ）検出手段である請求項１乃至７の何れかに記載の識別装置。
【請求項９】
移動検出手段は、マイクロ波が動物や屠殺体の通過によって遮断されるマイクロ波検出手段や、その他の移動検出手段である請求項１乃至７の何れかに記載の識別装置。
【請求項１０】
制御手段は、マーキング手段を起動・停止させるアンテナ及び移動検出手段から受けた信号を調整するために適合されたマイクロプロセッサ制御手段である請求項１乃至９の何れかに記載の識別装置。
【請求項１１】
マーキング手段は、電気式読取手段と切り離して作動され、あるいは、ＥＩＤが無い動物や屠殺体、ＥＩＤを有する動物や屠殺体又は非機能的なＥＩＤを有する動物や屠殺体を要求に応じてマークできるよう、電気式読取手段か移動検出手段と関連して作動される請求項１乃至１０の何れかに記載の識別装置。
【請求項１２】
ＥＩＤを有する動物や屠殺体から、ＥＩＤが無かったり、非機能的なＥＩＤを有する動物や屠殺体を識別する方法であって、
（ａ）何れもマイクロプロセッサ制御手段によって制御・調整されるＥＩＤ読取手段のアンテナ、移動検出手段及びマーキング手段と関連付けられた進路や通路に沿って動物や屠殺体を移動させ、
（ｂ）非機能的なＥＩＤであるとか、ＥＩＤが無いという信号を記録することなしにアンテナを通過するが移動検出手段で検出される動物や屠殺体を、主として、塗料、粉末、染料又はその他のマーキング材料といった、異なる識別の色や見分けが付く色のマーキング材料でマーキングし、且つ可視的及び／又は可聴的アラームを作動させ、
（ｃ）区別できるマークでマークされているので、動物や屠殺体を視覚的に識別し、その結果、特定の動物や屠殺体の描画又は仕分け及び／又は識別を可能とする
上記ステップを含む識別方法。
【手続補正書】
【提出日】平成16年11月15日(2004.11.15)
【手続補正１】
【補正対象書類名】明細書
【補正対象項目名】特許請求の範囲
【補正方法】変更
【補正の内容】
【特許請求の範囲】
【請求項１】  患者の心臓弁と交換すべく、心臓弁輪の近位側と遠位側とに挿入するように構成されてなる弁であって、この弁が、
患者の弁輪の第１の側に配置されるように適合してなる第１の実質的に環状の部分と、
患者の弁輪の第２の側に配置されるように適合してなる第２の実質的に環状の部分とを備え、第１及び第２の実質的に環状の部分のうちの少なくとも一方は、他方の部分に向かって動くことができて、弁輪のまわりをクランプするクランプ状態になり、第２の実質的に環状の部分は、流れ制限部分を延設されて有していて、血流を許容する第１の位置と血流を制限する第２の位置との間にて動くことができる、
ことを特徴とする弁。
【請求項２】  第１の部分と第２の部分とを結合する縫合線をさらに有していて、縫合線の張力によって第１の部分と第２の部分とを引寄せてクランプ状態にすることを特徴とする請求項１に記載の弁。
【請求項３】  縫合線と第１及び第２の部分をクランプ状態に保持すべく、縫合線に配置されて第２の部分に結合されてなる、締付部材をさらに備えていることを特徴とする請求項２に記載の弁。
【請求項４】  流れ制限部分は、第２の部分に延設されていて第１の部分から遠ざかる方向へ向いている複数の小葉を備え、小葉は第２の部分の円周まわりに延在していて、第２の部分の中心点の収束領域へ向かって内方へ折曲可能になっていて、収束領域は血流を制限する第２の部分と同心になっていることを特徴とする請求項１に記載の弁。
【請求項５】  流れ制限部分は、第２の部分に延設されていて第１の部分から遠ざかる方向へ向いている複数の小葉を備え、小葉は第２の部分の円周まわりに延在していて、第２の部分の中心点からオフセットしている収束領域へ向かって内方へ折曲可能になっていて、収束領域は血流を制限する第２の部分に対して偏心していることを特徴とする請求項１に記載の弁。
【請求項６】  第１の部分と第２の部分とが一体的なワイヤから構成されていて、一体的なワイヤの第１のセグメントによって結合されていることを特徴とする請求項１に記載の弁。
【請求項７】  ワイヤは形状記憶合金から構成されていることを特徴とする請求項６に記載の弁。
【請求項８】  第１のセグメントは弓形であって、第１の部分と第２の部分とをクランプ状態へ向けて付勢していることを特徴とする請求項６に記載の弁。
【請求項９】  第１及び第２の部分の少なくとも一部分は平行な平面上にあって、第１のセグメントは平行平面に対して斜めに延在していることを特徴とする請求項６に記載の弁。
【請求項１０】  第１の実質的に環状の部分は第１の弓形の部分の下側にあり、第２の実質的に環状の部分は第２の弓形の部分の上側にあって、複数の重なり合うセグメントのコイルワイヤを形成していることを特徴とする請求項６に記載の弁。
【請求項１１】  流れ制限部分は、第２の部分に延設されていて第１の部分から遠ざかる方向へ向いている複数の間隔を隔てている小葉を含み、小葉は第２の部分の円周まわりに延在していて、血流を制限すべく内方へ折曲可能になっていて、流れ制限部分はさらに隣接する小葉を結合するような膜を含んでいて、小葉が閉じた状態のときに、小葉と協働して血流を制限することを特徴とする請求項１に記載の弁。
【請求項１２】  小葉は第２の部分に近接した部分に厚い部分を有し、膜は第２の部分から離れた部分に薄い部分を有していることを特徴とする請求項１に記載の弁。
【請求項１３】  流れ制限部分は、複数の折曲可能な小葉を含んでいて、閉じた状態における隣接する小葉の部分が重なり合って、血流を制限することを特徴とする請求項１に記載の弁。
【請求項１４】  第１の部分と第２の部分とは、一体的なコイルワイヤから構成されていて、ワイヤは形状記憶材料から構成されており、患者の体に配置される前には、細長い状態に保持されていることを特徴とする請求項１に記載の弁。
【請求項１５】  第１の部分は第２の部分へ向かって付勢されていることを特徴とする請求項１に記載の弁。
【手続補正書】
【提出日】平成15年5月1日(2003.5.1)
【手続補正１】
【補正対象書類名】明細書
【補正対象項目名】特許請求の範囲
【補正方法】変更
【補正の内容】
【特許請求の範囲】
【請求項１】
シャフト、キャップ、グリッパー、および可撓性ロッドを有する心臓弁修復道具であって、
該グリッパーが、ピボットから放射状に広がる複数のアームを有し、各アームがスパイクを有し、
該キャップがピボットの先端に位置され、該ピボットがシャフトの先端に位置され、そして
該可撓性ロッドがキャップに連結し、可撓性ロッドを引くことによってグリッパーおよびシャフトに対するキャップの動作が提供され、
該キャップが、閉じた位置でアームを固定するためにピボットを覆って差し込まれることができる開口部を有する、道具。
【請求項２】
前記複数のアームが、弾力的ウェブによって連結される、組のアームを有する、請求項１記載の道具。
【請求項３】
前記ピボットがスプリング金属または形状記憶合金によって形成される、請求項１記載の道具。
【請求項４】
前記複数のアームが、組のアームが弾力的ウェブによって連結される２組のアームを有する、請求項３記載の道具。
【請求項５】
前記ウェブがファブリックで覆われている、請求項４記載の道具。
【請求項６】
前記形状記憶合金がニッケル合金を含む、請求項３記載の道具。
【請求項７】
前記形状記憶合金が、Elgiloy(登録商標)、MP35N、Nitinol(登録商標)、ステンレス鋼およびスプリング金属からなる群から選択される、請求項３記載の道具。
【請求項８】
前記ピボットがヒンジを有する、請求項１記載の道具。
【請求項９】
前記ヒンジがスプリングを有する、請求項８記載の道具。
【請求項１０】
前記アームが、ピボットでの拡張力によって伸びた位置に偏り、そしてさらにアームの伸びを制限するための、シャフトとアームを連結するストランドを有する、請求項１記載の道具。
【請求項１１】
前記可撓性ロッドが、ロッドにキャップを解放可能に連結する、解き放すメカニズムを有する、請求項１記載の道具。
【請求項１２】
前記キャップがリッジを有し、前記グリッパーが固定された位置でリッジにかみあうよう位置されたバンプを有する、請求項１記載の道具。
【請求項１３】
キャップとグリッパーとを有する、留める部材であって、該グリッパーが、ピボットから放射状に広がる複数のアームを有し、各アームがスパイクを有し、
該ピボットがキャップ中の開口部内へ差し込まれて、つぶれたグリッピング位置でアームを固定する、部材。
【請求項１４】
前記キャップが、グリッパーにかみあい固定された位置にグリッパーを固定する固定メカニズムを有する、請求項１３記載の留める部材。
【請求項１５】
前記キャップがスロットを有し、前記グリッパーが止め具によってスロット内に保持され、グリッパーがスロット内をスライドし、キャップおよびグリッパーの分離を防ぐ止め具でグリッパーの伸びを変えることができる、請求項１３記載の留める部材。
【請求項１６】
請求項１３記載の留める部材と可撓性ロッドとを有するキットであって、該可撓性ロッドが、可撓性ロッドにキャップを解放可能に保持させる解き放すメカニズムを有する、キット。
【手続補正２】
【補正対象書類名】図面
【補正対象項目名】図１５Ａ
【補正方法】変更
【補正の内容】
【図１５Ａ】
2004530451.tif 000001
【手続補正３】
【補正対象書類名】図面
【補正対象項目名】図１５Ｂ
【補正方法】変更
【補正の内容】
【図１５Ｂ】
2004530451.tif 000002
【手続補正４】
【補正対象書類名】図面
【補正対象項目名】図１５Ｃ
【補正方法】変更
【補正の内容】
【図１５Ｃ】
2004530451.tif 000003
【手続補正５】
【補正対象書類名】図面
【補正対象項目名】図１５Ｄ
【補正方法】変更
【補正の内容】
【図１５Ｄ】
2004530451.tif 000004
【手続補正６】
【補正対象書類名】図面
【補正対象項目名】図１５Ｅ
【補正方法】変更
【補正の内容】
【図１５Ｅ】
2004530451.tif 000005
【手続補正７】
【補正対象書類名】図面
【補正対象項目名】図１５Ｆ
【補正方法】変更
【補正の内容】
【図１５Ｆ】
2004530451.tif 000006
【手続補正８】
【補正対象書類名】図面
【補正対象項目名】図１５Ｇ
【補正方法】変更
【補正の内容】
【図１５Ｇ】
2004530451.tif 000007
【手続補正９】
【補正対象書類名】図面
【補正対象項目名】図１６
【補正方法】変更
【補正の内容】
【図１６】
2004530451.tif 000008
【手続補正書】
【提出日】平成17年5月10日(2005.5.10)
【手続補正１】
【補正対象書類名】特許請求の範囲
【補正対象項目名】全文
【補正方法】変更
【補正の内容】
【特許請求の範囲】
【請求項１】
僧帽弁の周りで僧帽弁に隣接する心臓の冠状静脈洞内に配置されたときに僧帽弁輪に実質的に半径方向で内向きの力を加えるために、応力がかからない弓形形状の弾性部材を含む僧帽弁輪治療具であって、
該治療具はガイド・ワイヤ上を滑動するように前記治療具を取り付けるガイド・ワイヤ受け入れ構造を有する、僧帽弁輪治療具。
【請求項２】
請求項１に記載の僧帽弁輪治療具であって、
前記ガイド・ワイヤ受け入れ構造は、ガイド・ワイヤが貫通できるような寸法の穿孔を含む僧帽弁輪治療具。
【請求項３】
請求項２に記載の僧帽弁輪治療具であって、
前記ガイド・ワイヤ受け入れ構造の前記穿孔が筒状の形状である僧帽弁輪治療具。
【請求項４】
請求項２に記載の僧帽弁輪治療具であって、
対向端部を有し、前記ガイド・ワイヤ受け入れ機構が、前記対向端部間に延びているガイド・ワイヤ収容溝を更に含んでいる僧帽弁輪治療具。
【請求項５】
請求項４に記載の僧帽弁輪治療具であって、
前記ガイド・ワイヤ収容溝が前記穿孔と整合している僧帽弁輪治療具。
【請求項６】
請求項１に記載の僧帽弁輪治療具であって、
当該治療具をイントロデューサに脱着可能に固定する構造とされた脱着可能な固定機構を更に含んでいる僧帽弁輪治療具。
【請求項７】
請求項１に記載の僧帽弁輪治療具であって、
前記弾性部材が、当該治療具が冠状静脈洞内へと進入せしめられつつある際に変形形状に変形されるような構造とされている僧帽弁輪治療具。
【請求項８】
請求項１に記載の僧帽弁輪治療具であって、
前記弾性部材が更に、心臓の冠状静脈内に配置されたときに僧帽弁輪の形状を再形成するために、変形形状から応力がかからない形状へと変化する構造とされている僧帽弁輪治療具。
【請求項９】
請求項８に記載の僧帽弁輪治療具であって、
前記僧帽弁輪が半径を有し、前記応力がかからない形状が前記僧帽弁輪の半径よりも小さい半径を有している、僧帽弁輪治療具。
【手続補正書】
【提出日】平成16年12月27日(2004.12.27)
【手続補正１】
【補正対象書類名】特許請求の範囲
【補正対象項目名】全文
【補正方法】変更
【補正の内容】
【特許請求の範囲】
【請求項１】
乾癬の診断用の診断剤または乾癬の予防および／または治療のための医薬組成物を製造するためのクロルゾキサゾン(chlorzoxazone)の使用。
【手続補正書】
【提出日】平成17年1月28日(2005.1.28)
【手続補正１】
【補正対象書類名】明細書
【補正対象項目名】特許請求の範囲
【補正方法】変更
【補正の内容】
【特許請求の範囲】
【請求項１】
酸化マグネシウム粉末に植物性粉末または鉱物性粉末を所定の割合で混和して配合物を作る工程と；前記配合物に一定量の水を加え、湿った粉末状態の配合物を得る工程と；前記配合物を、予熱された金型の内部に注入し、前記湿った粉末状態の配合物を加熱すると同時に圧縮し急結させて脱型する工程と；からなることを特徴とする、酸化マグネシウムを用いた建材の成形方法。
【請求項２】
酸化マグネシウム粉末に植物性粉末または鉱物性粉末を所定の割合で混和して配合物を作る工程と；前記配合物に一定量の水を加え、湿った粉末状態の配合物を得る工程と；前記配合物を、予熱された下部金型に外郭金型を密着させて組み立ててなる圧縮金型機の内部に投入し、上段の上部金型の底面を外郭金型の内部に嵌め込んだ後、加熱すると同時に圧縮し急結させて脱型する工程と；からなることを特徴とする、酸化マグネシウムを用いた建材の成形方法。
【請求項３】
酸化マグネシウム粉末に植物性粉末または鉱物性粉末を所定の割合で混和して配合物を作る工程と；前記配合物に、射出するのに適当な程度の練り状態になるように水を加え、湿った状態の配合物を得る工程と；射出金型を型合わせ、ノズルの先端部の高圧で前記配合物を注入口を介して金型内に注入する成形工程と；前記成形工程時にまたは前記成形工程後に、金型内に設けられた加熱されたヒーターで硬化させる工程と；硬化後に、金型から脱型する工程と；を経て射出成形することを特徴とする、酸化マグネシウムを用いた建材の成形方法。
【請求項４】
酸化マグネシウム粉末に植物性粉末または鉱物性粉末を所定の割合で混和して配合物を作る工程と；前記配合物に、押出するのに適当な程度の練り状態になるように水を加え、湿った状態の配合物を得る工程と；押出機を用いて前記配合物を所望の形状に押出成形する工程と；前記押出成形された成形物を前方の加熱装置に通過させて硬化させる工程と；を経て押出成形することを特徴とする、酸化マグネシウムを用いた建材の成形方法。
【請求項５】
酸化マグネシウム粉末に植物性粉末または鉱物性粉末を所定の割合で混和して配合物を作ること；前記配合物に水を加え、湿った粉末状態の配合物を得ること；および、前記湿った粉末状態の配合物を圧縮すると同時に加熱し、前記配合物を急結させること；からなる方法により得られた酸化マグネシウムを用いることを特徴とする建材。
【手続補正２】
【補正対象書類名】明細書
【補正対象項目名】００２０
【補正方法】変更
【補正の内容】
【００２０】
また、副材料である植物性素材としては、例えば、廃木の粉末、おが屑、もみ殻の粉末、稲わらの粉末、トウモロコシなどの各種の植物の幹や葉の粉末、更には粉々に砕かれたパルプまたはもみ殻などの植物繊維などを、要求される建材の種類により選択して使用する。そして、本発明での副材料である鉱物性素材としては、各種の石粉、火山灰、真珠岩を発泡させた軽量の粉末、ガラス繊維などの鉱物繊維などの各種の鉱物性粉末を、強度、耐火性、不燃性、防音性、断熱性、摩耗性などのように、要求される建材の用途に応じて選択して使用する。
上述の通り、本発明で用いる副材料である植物性粉末または鉱物性粉末には、パルプやもみ殻などの植物繊維と、ガラス繊維などの鉱物繊維が含まれることを意味する。
【手続補正書】
【提出日】平成17年4月21日(2005.4.21)
【手続補正１】
【補正対象書類名】特許請求の範囲
【補正対象項目名】全文
【補正方法】変更
【補正の内容】
【特許請求の範囲】
【請求項１】
式(I)
【化１】
2004530689.tif 000001
〔式中、T1は酸素(O)、硫黄(S)とNR(Rは元素の周期表の13〜17族に属する異原子を任意に含有する、線状もしくは分枝状、飽和もしくは不飽和のC1〜C20アルキル、C3〜C20シクロアルキル、C6〜C20アリール、C7〜C20アルキルアリールまたはC7〜C20アリールアルキル基からなる群から選択され；
R1とR2は互いに同一または異なり、水素、または元素の周期表の13〜17族に属する異原子を任意に含有する、線状もしくは分枝状、飽和もしくは不飽和のC1〜C20アルキル、C3〜C20シクロアルキル、C6〜C20アリール、C7〜C20アルキルアリールまたはC7〜C20アリールアルキル基；またはこれらは置換基を有することができるO、S、N、PまたはSi原子を任意に含有するC4〜C7環を形成できる；
Wは、分子(a)または(b)
【化２】
2004530689.tif 000002
（式中、T2、T3、T4とT5は、同一または異なって、窒素(N)とCR3(R3は水素、または元素の周期表の13〜17族に属する異原子を任意に含有する線状もしくは分枝状、飽和もしくは不飽和のC1〜C20アルキル、C3〜C20シクロアルキル、C6〜C20アリール、C7〜C20アルキルアリールまたはC7〜C20アリールアルキル基、または2つの隣接する基R3は、O、S、N、PまたはSi原子を任意に含有するC4〜C7環を形成でき、その環は置換基を有することができ、
からなる群から選択される；
T6はT1と同一意味；
T7とT8は、同一または異なって、NとCR3から選択され(R3は水素、または元素の周期表の13〜17族に属する異原子を任意に含有する、線状もしくは分枝状、飽和もしくは不飽和のC1〜C20アルキル、C3〜C20シクロアルキル、C6〜C20アリール、C7〜C20アルキルアリールまたはC7〜C20アリールアルキル基、任意に隣接する2つの基R3は、O、S、N、PまたはSi原子を任意に含有するC4〜C7環を形成でき、その環は置換基を有することができ；但しT6はNRと異なるとき、T7とT8は共にCR3であり、好ましくはT6がNRのとき、T7とT8は共にCR3である) 〕
を有するシクロペンタジエン誘導体の製造法であり、次の工程：
ａ）式(II)：
【化３】
2004530689.tif 000003
の化合物と式(III)：
【化４】
2004530689.tif 000004
（式中、W、T1、R1とR2は上記と同一意味、Xはクロル、ヨード、ブロムからなる群から選択され、好ましくはXはブロム）
の化合物を、カップリング系の存在下で反応させ、
ｂ）工程a)で得られた式(IV)：
【化５】
2004530689.tif 000005
の化合物とカルボニル化系と接触させて、式(Iva)：
【化６】
2004530689.tif 000006
の化合物を得、かつ
ｃ）工程b)で得た生成物を還元剤と処理する、
ことからなる方法。
【請求項２】
式(Ia)：
【化７】
2004530689.tif 000007
（式中、T1、T2、T3、T4、T5、R1とR2は上記の意味）
のシクロペンタジエン化合物の請求項１による製造法であって、次の工程：
ａ）式(II)：
【化８】
2004530689.tif 000008
の化合物と式(V)：
【化９】
2004530689.tif 000009
（式中、T1、T2、T3、T4、T5、R1とR2は上記の意味、Xはクロル、ヨードとブロムからなる群から選択され、Xはブロムが好ましい）
の化合物とをカップリング系の存在下で反応させ、
ｂ）工程a)で得た式(VI)：
【化１０】
2004530689.tif 000010
の化合物をカルボニル化系で接触させ、式(VIa)
【化１１】
2004530689.tif 000011
の化合物を得、かつ
ｃ）工程b)で得た生成物を還元剤と処理する、
ことからなる方法。
【請求項３】
式(Ib)：
【化１２】
2004530689.tif 000012
（式中、T1、T6、T7、T8、R1とR2は上記の意味）
のシクロペンタジエン化合物の請求項１による製造法であって、次の工程：
ａ）式(II)：
【化１３】
2004530689.tif 000013
の化合物と、式(VII)：
【化１４】
2004530689.tif 000014
（式中、T1、T6、T7、T8、R1とR2は請求項１に示した意味、Xはクロル、ヨードとブロムからなる群から選択される）
の化合物とをカップリング系の存在下で反応させ、
ｂ）工程a)で得た式(VIII)
【化１５】
2004530689.tif 000015
の化合物とカルボニル化系とを接触させて、式(VIIIa)
【化１６】
2004530689.tif 000016
の化合物を得、かつ
ｃ）工程b)で得た生成物を還元剤と処理する、
ことからなる方法。
【請求項４】
T1とT6は同一で、硫黄または酸素であり、；T7とT8は互いに同一または異なりCR3(R3は請求項１に記載)；R1とR2は水素、メチル、エチル、フェニルトリメチルシリル基、または共にベンゼン環を形成する請求項３による方法。
【請求項５】
式(X)：
【化１７】
2004530689.tif 000017
（R1、R2とR3は請求項１に記載、但しR1、R2またはR3の少なくとも１つは水素と異なる）
の化合物。
【請求項６】
式(XI)：
【化１８】
2004530689.tif 000018
（R1、R2とR3は請求項１に記載、但しT9は酸素または硫黄）
の化合物。
【手続補正書】
【提出日】平成17年5月9日(2005.5.9)
【手続補正１】
【補正対象書類名】特許請求の範囲
【補正対象項目名】全文
【補正方法】変更
【補正の内容】
【特許請求の範囲】
【請求項１】
治療有効量の下記一般式Iの化合物を、眼高圧症または緑内障を有する動物に投与することを含んで成る眼高圧症または緑内障の治療法：
【化１】
2004530687.tif 000001
［式中、
陰影線はα配置を表し、三角はβ配置を表し、点線は二重結合の存在または不存在を表し；
AおよびBは、CH2であり；
Dは、共有結合またはCH2、O、SまたはNHを表わし；
Xは、CO2R、CONR2、CH2OR、P(O)(OR)2、CONRSO2R、SONR2または
【化２】
2004530687.tif 000002
であり；
Yは、O、OCOR2、ハロゲンまたはシアノであり；
Zは、CH2または共有結合であり；
Rは、HまたはR2であり；
R1は、H、R2、フェニルまたはCOR2であり；
R2は、C1〜C5低級アルキルまたはアルケニルであり；
R3は、ベンゾチエニル、ベンゾフラニル、ナフチル、またはそれらの置換誘導体であり、該置換基は、C1〜C5アルキル、ハロゲン、CF3、CN、NO2、NR2、CO2RおよびORから成る群から選択しうる］。
【請求項２】
該化合物が下記一般式IIで示される請求項1に記載の方法：
【化３】
2004530687.tif 000003
【請求項３】
該化合物が下記一般式IIIで示される請求項2に記載の方法：
【化４】
2004530687.tif 000004
【請求項４】
Zが共有結合を表す請求項1に記載の方法。
【請求項５】
Dが共有結合を表すかまたはCH2である請求項1に記載の方法。
【請求項６】
XがCO2Rである請求項1に記載の方法。
【請求項７】
Rが、H、メチル、i−プロピルおよびn−プロペニルから成る群から選択される請求項6に記載の方法。
【請求項８】
RがHまたはn−プロペニルである請求項1に記載の方法。
【請求項９】
R1がHである請求項1に記載の方法。
【請求項１０】
DがCH2である請求項1に記載の方法。
【請求項１１】
R3がベンゾ[b]チエニル、3−クロロベンゾ[b]チエニルまたはナフチルである請求項10に記載の方法。
【請求項１２】
該化合物が、
(Z)-7-{(1R, 2R, 3R)-2-[(E)-(S)-5-(3-クロロベンゾ[b]チオフェン-2-イル)-3-ヒドロキシペント-1-エニル]-3-ヒドロキシ-5-オキソシクロペンチル}ヘプト-5-エン酸アリルエステル(6a) 
(Z)-7-{(1R, 2R, 3R)-2-[(E)-(S)-5-(3-クロロベンゾ[b]チオフェン-2-イル)-3-ヒドロキシペント-1-エニル]-3-ヒドロキシ-5-オキソシクロペンチル}ヘプト-5-エン酸(7a) 
(Z)-7-{(1R, 2R, 3R)-2-((E)-(S)-5-ベンゾ[b]チオフェン-2-イル-3-ヒドロキシペント-1-エニル]-3-ヒドロキシ-5-オキソシクロペンチル}ヘプト-5-エン酸アリルエステル(6b)
(Z)-7-{(1R, 2R, 3R)-2-((E)-(S)-5-ベンゾ[b]チオフェン-2-イル-3-ヒドロキシペント-1-エニル]-3-ヒドロキシ-5-オキソシクロペンチル}ヘプト-5-エン酸(7b) 
(Z)-7-{(1R, 2R, 3R)-3-ヒドロキシ-2-((E)-(S)-3-ヒドロキシ-5-ナフタレン-2-イル-ペント-1-エニル)-5-オキソシクロペンチル}ヘプト-5-エン酸アリルエステル(6c) 
(Z)-7-{(1R, 2R, 3R)-3-ヒドロキシ-2-((E)-(S)-3-ヒドロキシ-5-ナフタレン-2-イル-ペント-1-エニル)-5-オキソシクロペンチル}ヘプト-5-エン酸(7c)
からなる群から選択される請求項１に記載の方法。
【請求項１３】
非毒性の眼用に許容される液体賦形剤と合わせて、治療有効量の下記一般式Iの化合物を含んで成り、計量適用に好適な容器に充填された眼用液剤：
【化５】
2004530687.tif 000005
［式中、
陰影線はα配置を表し、三角はβ配置を表し、点線は二重結合の存在または不存在を表し；
AおよびBは、CH2であり；
Dは、共有結合またはCH2、O、SまたはNHを表わし；
Xは、CO2R、CONR2、CH2OR、P(O)(OR)2、CONRSO2R、SONR2または
【化６】
2004530687.tif 000006
であり；
Yは、O、OH、OCOR2、ハロゲンまたは基であり；
Zは、CH2または共有結合であり；
Rは、HまたはR2であり；
R1は、H、R2、フェニルまたはCOR2であり；
R2は、C1〜C5低級アルキルまたはアルケニルであり；
R3は、ベンゾチエニル、ベンゾフラニル、ナフチル、またはそれらの置換誘導体であり、該置換基は、C1〜C5アルキル、ハロゲン、CF3、CN、NO2、NR2、CO2RおよびORから成る群から選択しうる］。
【請求項１４】
計量形態で該容器の含有物を投与するのに適合した容器、および該容器中の請求項13に記載の眼用液剤を含んで成る医薬製品。
【請求項１５】
(Z)-7-{(1R, 2R, 3R)-2-[(E)-(S)-5-(3-クロロベンゾ [b] チオフェン-2-イル)-3-ヒドロキシペント-1-エニル]-3-ヒドロキシ-5-オキソシクロペンチル}ヘプト-5-エン酸アリルエステル(6a)
(Z)-7-{(1R, 2R, 3R)-2-[(E)-(S)-5-(3-クロロベンゾ[b]チオフェン-2-イル)-3-ヒドロキシペント-1-エニル]-3-ヒドロキシ-5-オキソシクロペンチル}ヘプト-5-エン酸(7a)
(Z)-7-{(1R, 2R, 3R)-2-((E)-(S)-5-ベンゾ[b]チオフェン-2-イル-3-ヒドロキシペント-1-エニル]-3-ヒドロキシ-5-オキソシクロペンチル}ヘプト-5-エン酸アリルエステル(6b)
(Z)-7-{(1R, 2R, 3R)-2-((E)-(S)-5-ベンゾ[b]チオフェン-2-イル-3-ヒドロキシペント-1-エニル]-3-ヒドロキシ-5-オキソシクロペンチル}ヘプト-5-エン酸(7b)
(Z)-7-{(1R, 2R, 3R)-3-ヒドロキシ-2-((E)-(S)-3-ヒドロキシ-5-ナフタレン-2-イル-ペント-1-エニル)-5-オキソシクロペンチル}ヘプト-5-エン酸アリルエステル(6c) 
(Z)-7-{(1R, 2R, 3R)-3-ヒドロキシ-2-((E)-(S)-3-ヒドロキシ-5-ナフタレン-2-イル-ペント-1-エニル)-5-オキソシクロペンチル}ヘプト-5-エン酸(7c)
からなる群から選択される新規化合物。
【手続補正２】
【補正対象書類名】図面
【補正対象項目名】図１
【補正方法】変更
【補正の内容】
【図１】
2004530687.tif 000007
【手続補正書】
【提出日】平成17年3月4日(2005.3.4)
【手続補正１】
【補正対象書類名】特許請求の範囲
【補正対象項目名】全文
【補正方法】変更
【補正の内容】
【特許請求の範囲】
【請求項１】
（ｉ）水不溶性基板と、
（ｉｉ）基板に含浸させた、
（ａ）泡立つに十分な、下記組成物の重量の１％から６０％の範囲の量で存在する、少なくとも１つの起泡性界面活性剤と、
（ｂ）水と、
を含むクレンジング組成物と、
を含み、
水が製品の１５重量％よりも多いが３５重量％よりも少ない量で存在し、及び、上記組成物が３０ｍｍの波形平行プレートを備えたＨａａｋｅ  ＣＶ  ２０レオメーターによって２３℃で測定して５０−３００，０００ｃｐの粘度を有している、実質的に湿性のクレンジング製品。
【請求項２】
粘度が１００−２５０，０００ｃｐの範囲であることを特徴とする請求項１に記載の製品。
【請求項３】
粘度が１５０−１００，０００ｃｐの範囲であることを特徴とする請求項１または２に記載の製品。
【請求項４】
粘度が４００−１０，０００ｃｐの範囲であることを特徴とする請求項１から３のいずれか一項に記載の製品。
【請求項５】
起泡性界面活性剤の全量と水との重量比が１：１０−５：１の範囲であることを特徴とする請求項１から４のいずれか一項に記載の製品。
【請求項６】
少なくとも１種類の起泡性界面活性剤が水不溶性基板に付着した含浸組成物の全重量の１−２０重量％の量で存在することを特徴とする請求項１から５のいずれか一項に記載の製品。
【請求項７】
水不溶性基板が不織基板、製織基板、水分保有基板及び空気保有基板から成るグループから選択されるシートであることを特徴とする請求項１から６のいずれか一項に記載の加工製品。
【請求項８】
界面活性剤がアニオン性界面活性剤であることを特徴とする請求項１から７のいずれか一項に記載の加工製品。
【請求項９】
水に対する全起泡性界面活性剤の重量比が、１：２から２：１の範囲である請求項１から８のいずれか一項に記載の加工製品。
【手続補正書】
【提出日】平成17年3月7日(2005.3.7)
【手続補正１】
【補正対象書類名】特許請求の範囲
【補正対象項目名】全文
【補正方法】変更
【補正の内容】
【特許請求の範囲】
【請求項１】
式（Ｉ）
【化１】
2004530688.tif 000001
［式中、
Ｒ１、Ｒ２、Ｒ６、Ｒ８およびＲ９は、相互に無関係に水素を表すか、または直鎖状もしくは分枝鎖状、飽和もしくは不飽和、置換もしくは非置換の炭化水素基またはアシル基を表し、ただしその際、Ｒ１およびＲ２の少なくとも１つはＨであり、
Ｒ３は相互に無関係にＨ、ＯＨまたは−Ｏ−Ｒ９を表し、
Ｒ４は相互に無関係に−（ＣＨ２）ｘ−または−ＣＨ２−［ＣＨ（Ｒ５）−］ｙＣＨ２−を表し、
Ｒ５は相互に無関係にＨ、ＯＨ、Ｒ６または−Ｏ−Ｒ６を表し、
Ｒ７はＨ、ＯＨ、ＣＨ３または−Ｏ−Ｒ８を表し、
ｎは０〜６の整数であり、
ｍは０または１であり、
ｐは１〜２０の整数であり、
ｘは０〜５０の整数であり、
ｙは１〜１０の整数であり、
ｚは１〜２０の整数である］の化合物を含有する医薬組成物。
【請求項２】
式（ＩＩ）：
【化２】
2004530688.tif 000002
［式中、
Ｒ１、Ｒ２、Ｒ６およびＲ８は請求項１に記載したものを表し、
ｙは１〜４の整数であり、かつ
ｐは１〜９の整数である］の化合物を含有する請求項１記載の医薬組成物。
【請求項３】
式（ＩＩＩ）：
【化３】
2004530688.tif 000003
［式中、
ｘは１〜５０の整数である］の化合物を含有する請求項１記載の医薬組成物。
【請求項４】
式（ＩＶ）：
【化４】
2004530688.tif 000004
［式中、
ｘは１〜５０の整数である］の化合物を含有する請求項１記載の医薬組成物。
【請求項５】
式（Ｖ）：
【化５】
2004530688.tif 000005
［式中、
Ｒ８は請求項１に記載したものを表し、かつ
ｘは１〜５０の整数である］の化合物を含有する請求項１記載の医薬組成物。
【請求項６】
式（ＶＩ）：
【化６】
2004530688.tif 000006
［式中、
Ｒ８、ｐおよびｚは請求項１に記載したものを表す］の化合物を含有する請求項１記載の医薬組成物。
【請求項７】
式（ＶＩＩ）：
【化７】
2004530688.tif 000007
［式中、
Ｒ８、ｐおよびｚは請求項１に記載したものを表す］の化合物を含有する請求項１記載の医薬組成物。
【請求項８】
式（ＶＩＩＩ）：
【化８】
2004530688.tif 000008
［式中、
Ｒ８、Ｒ５およびｚは請求項１に記載したものを表し、かつ
ｐ１は０〜２０の整数であり、
ｐ２は０〜２０の整数であり、かつ
ｐ３は１〜１０の整数であり、
その際、ｐ１＋ｐ２≧１であり、かつその際、ｐ１＝０の場合、少なくとも１つのＲ５＝Ｈである］の化合物を含有する請求項１記載の医薬組成物。
【請求項９】
式（ＩＸ）：
【化９】
2004530688.tif 000009
［式中、
Ｒ３、Ｒ５、Ｒ８およびｚは請求項１に記載したものを表し、かつ
ｐ１は０〜２０の整数であり、
ｐ２は０〜２０の整数であり、
ｐ３は１〜１０の整数であり、かつ
ｎは≧２である］の化合物を含有する請求項１記載の医薬組成物。
【請求項１０】
ａ）Ｒ１およびＲ２が無関係にＣ１〜Ｃ２２−アルキル、アルケニル、アルキニルまたはアシル基であり、ただしその際、Ｒ１またはＲ２の１つは−Ｈであり；
ｂ）それぞれのＲ６が−Ｈであるか、またはＣ１〜Ｃ２２−アルキル、アルケニル、アルキニルまたは基であり、かつ無関係に選択されており；かつ
ｃ）ｐは１〜６の整数である、請求項１から９までのいずれか１項記載の医薬組成物。
【請求項１１】
Ｒ６が−Ｈである、請求項１から１０までのいずれか１項記載の医薬組成物。
【請求項１２】
ｙが１である、請求項１から１１までのいずれか１項記載の医薬組成物。
【請求項１３】
Ｒ１がＣ４〜Ｃ１２−アルキルであり、かつＲ２が−Ｈである、請求項１から１２までのいずれか１項記載の医薬組成物。
【請求項１４】
ｐが２または３である、請求項１から１３までのいずれか１項記載の医薬組成物。
【請求項１５】
化合物が、
３−（３−ヘキシルオキシ−２−ヒドロキシ−プロポキシ）−プロパン−１，２−ジオールまたは
３−［２−ヒドロキシ−３−（２−ヒドロキシ−２−オクチルオキシ−プロポキシ）−プロポキシ］−プロパン−１，２−ジオールである、請求項１記載の医薬組成物。
【請求項１６】
さらに医薬活性物質を含有する、請求項１から１５までのいずれか１項記載の医薬組成物。
【請求項１７】
さらに通常の医薬品添加物および／または希釈剤を含有する請求項１から１６までのいずれか１項記載の医薬組成物。
【請求項１８】
医薬活性物質が脳の障害を治療するための薬剤である、請求項１６または１７記載の医薬組成物。
【請求項１９】
医薬活性物質が胃腸管の障害を治療するための薬剤である、請求項１６または１７記載の医薬組成物。
【請求項２０】
医薬活性物質が皮膚の障害を治療するための薬剤である、請求項１６または１７記載の医薬組成物。
【請求項２１】
医薬活性物質が呼吸器障害を治療するための薬剤である、請求項１６または１７記載の医薬組成物。